(57)【要約】【課題】扉体の開閉による断線等を防止しながら、冷蔵庫本体から扉への配線の本数が制約されない冷蔵庫を提供する。【解決手段】冷蔵庫本体（２）と、冷蔵庫本体（２）に対して上ヒンジ部（４ａ）によって回動可能に支持された上扉体（３ａ）と、冷蔵庫本体（２）と上扉体（３ａ）を電気的に接続するワイヤハーネス（２０）と、を備えた冷蔵庫であって、ワイヤハーネス（２０）は、複数本の電線（２１）を束ねた構造であり、上扉体（３ａ）の開閉時に屈曲される部分（Ｃ）の両端はそれぞれ結束部材（２３，２３）によって結束され、ワイヤハーネス（２０）は、結束部材（２３，２３）のうち、一方の結束部材（２３）と他方の結束部材（２３）との間において、捻られた状態の捩り部（２１ａ）を有することを特徴とする。【選択図】図７
2017133797.tif 000002
【特許請求の範囲】
【請求項１】
冷蔵庫本体と、前記冷蔵庫本体に対してヒンジ部によって回動可能に支持された扉体と、前記冷蔵庫本体と前記扉体を電気的に接続する配線と、を備えた冷蔵庫であって、
前記配線は、複数本の電線を束ねた構造であり、前記扉体の開閉時に屈曲される部分の両端はそれぞれ結束部材によって結束され、
前記配線は、前記結束部材のうち、一方の結束部材と他方の結束部材との間において、捻られた状態の捩り部を有する
ことを特徴とする冷蔵庫。
【請求項２】
前記配線は、少なくとも前記捩り部に柔軟性のあるカバーが外装される
ことを特徴とする請求項１に記載の冷蔵庫。
【請求項３】
前記カバーには、表面にシリコーンワニスが塗布されたガラス編組チューブが外装される
ことを特徴とする請求項２に記載の冷蔵庫。
【請求項４】
前記ヒンジ部は、ヒンジケースによって覆われており、
前記ヒンジケースは、前記配線を導出するための開口部を有し、前記開口部は、その上下方向の開口寸法が外方に向かって拡幅されている
ことを特徴とする請求項１から３のいずれか１項に記載の冷蔵庫。
【請求項５】
前記扉体は、前記扉体の前面に画像を表示する表示装置が内部に設けられ、
前記表示装置には、前記配線が接続される
ことを特徴とする請求項１から４のいずれか１項に記載の冷蔵庫。
【発明の詳細な説明】
【技術分野】
【０００１】
本発明は、冷蔵庫、特に、冷蔵庫本体と扉体を電気的に接続する配線を備えた冷蔵庫に関する。
【背景技術】
【０００２】
昨今、扉内部にＬＥＤやマイコン等を備える操作表示部を備える冷蔵庫が知られており、回動式の扉を有する冷蔵庫の場合、操作表示部への電力供給等のために、冷蔵庫本体から扉内部へ、扉を回動自在に支持する扉ヒンジ部を介して配線されている。
【０００３】
このように配線として、例えば、ヒンジ軸を軸方向に貫通する挿通孔の内部に配線を挿通することで、扉体の開閉の際に配線が繰り返し屈曲されて断線するのを防止するものが知られている。
【０００４】
ところが、ヒンジ軸の挿通孔を介して行える配線の本数には限界があり、冷蔵庫の回動式扉に新たな電装部品や機構等を設ける上で制約となっていた。
【先行技術文献】
【特許文献】
【０００５】
【特許文献１】特開２００４−２９３９１３号公報
【発明の概要】
【発明が解決しようとする課題】
【０００６】
そこで、本発明は、扉体の開閉による断線等を防止しながら、冷蔵庫本体から扉への配線の本数が制約されない冷蔵庫を提供することを課題とする。
【課題を解決するための手段】
【０００７】
前記課題を解決するため、本発明に係る冷蔵庫は、次のように構成したことを特徴とする。
【０００８】
本発明は、冷蔵庫本体と、前記冷蔵庫本体に対してヒンジ部によって回動可能に支持された扉体と、前記冷蔵庫本体と前記扉体を電気的に接続する配線と、を備えた冷蔵庫であって、前記配線は、複数本の電線を束ねた構造であり、前記扉体の開閉時に屈曲される部分の両端はそれぞれ結束部材によって結束され、前記配線は、前記結束部材のうち、一方の結束部材と他方の結束部材との間において、捻られた状態の捩り部を有することを特徴とする。
【０００９】
本発明によれば、扉体を開閉する際、捩り部で配線が屈曲されるので、捩り部において螺旋状に延びる全ての電線が適度に屈曲される。そのため、複数の電線が捻られずに直線状に延びる場合のように一部の電線のみが過度に屈曲されることがなく、屈曲が繰り返されても屈曲疲労によって断線するのを防止することができる。
【００１０】
また、本発明は、前記配線は、少なくとも前記捩り部に柔軟性のあるカバーが外装されていることを特徴とする。
【００１１】
本発明によれば、捩り部における複数本の電線をねじれた状態で維持することができる。
【００１２】
また、本発明は、前記カバーには、表面にシリコーンワニスが塗布されたガラス編組チューブが外装されることを特徴とする。
【００１３】
本発明によれば、扉体の開閉時に配線がヒンジ部と接触しながら屈曲する際に、この接触部で滑り音が発生するのを防止することができる。
【００１４】
また、本発明は、前記ヒンジ部は、ヒンジケースによって覆われており、前記ヒンジケースは、前記配線を導出するための開口部を有し、前記開口部は、その上下方向の開口寸法が外方に向かって拡幅されていることを特徴とする。
【００１５】
本発明によれば、扉体の開閉の際に、配線が開口部に引っかかり難いので、扉体のスムーズな開閉を実現することができる。
【００１６】
また、本発明は、前記扉体は、前記扉体の前面に画像を表示する表示装置が内部に設けられ、前記表示装置には、前記配線が接続されていることを特徴とする。
【００１７】
本発明によれば、冷蔵庫本体から表示装置に対して給電又は信号の送受信を行うことができる。
【図面の簡単な説明】
【００１８】
【図１】本発明の第１実施形態の冷蔵庫全体を概略的に示す斜視図である。
【図２】図１の冷蔵庫の上面を示す平面図である。
【図３】図２の扉体閉鎖時のヒンジ部周辺を示す拡大平面図である。
【図４】図２の扉体開放時のヒンジ部周辺を示す拡大平面図である。
【図５】図３の扉体閉鎖時のヒンジ部周辺を示す拡大縦断面図である。
【図６】図２のワイヤハーネスを概略的に示す平面図である。
【図７】図６のワイヤハーネスの一部拡大断面図である。
【発明を実施するための形態】
【００１９】
以下、本発明に係る本実施形態の冷蔵庫１について、図１から図７を参照しながら説明する。
【００２０】
（冷蔵庫の全体構成）
図１は、本実施形態の冷蔵庫全体を概略的に示す斜視図である。図１に示すように、冷蔵庫１は、その内部に食品等の貯蔵室として、上段に図示しない冷蔵室と下段に図示しない冷凍室が配設された冷蔵庫本体２を備える。また、冷蔵庫１は、冷蔵庫本体２の前方Ｙ１の上下にそれぞれ、片開き式の扉体３として上扉３ａと下扉３ｂを備える。
【００２１】
冷蔵庫本体２は、その右方Ｘ１に複数のヒンジ部４ａ〜４ｄが設けられる。上扉用の上ヒンジ部４ａ及び下ヒンジ部４ｂは、冷蔵庫本体２の天面部及び前面中央部にそれぞれ設けられ、下扉用の上ヒンジ部４ｃ及び下ヒンジ部４ｄは、冷蔵庫本体２の前面中央部及び底面部にそれぞれ設けられる。上扉用の上ヒンジ部４ａ及び下ヒンジ部４ｂは、上扉３ａを上下方向Ｚに延びる軸線を中心として水平方向に回動可能に軸支持しており、同様に、下扉用の上ヒンジ部４ｃ及び下ヒンジ部４ｄは、下扉３ａを上下方向Ｚに延びる軸線を中心として水平方向に回動可能に軸支持している。これにより、上扉３ａは、冷蔵室の前面の図示しない開口部を開閉し、下扉３ｂは、冷凍室の前面の図示しない開口部を開閉することができる。
【００２２】
各扉体３は、扉体３の前面に画像を表示する液晶ディスプレイ等の画像表示装置５がその内部に設けられる。画像表示装置５は、各種の映像、文字、記号等を画像として表示可能なものであり、例えば、液晶、プラズマ及び有機エレクトロルミネンス等のディスプレイ装置を含む。また、画像表示装置５は、内蔵されたテレビチューナによって受信されたテレビ放送信号に基づいてテレビ番組の映像を表示するテレビ受像機であってもよい。
【００２３】
また、各扉体３の前面には、画像表示装置５の表面を覆うように、光透過性を有するガラス板等の透明前板６が設けられる。各扉体３の左方Ｘ２側面には、ユーザが扉体３を開く際に指先を引っ掛けるための凹部７が形成される。上扉３ａの上面には、扉上面カバー９が設けられる。
【００２４】
更に、冷蔵庫本体２には、冷凍室、冷蔵室等の各室を設定された温度に制御するための図示しないコンプレッサ及びファンモータと、コンプレッサ及びファンモータの動作を制御するための図示しない冷蔵庫本体制御部と、が設けられる。冷蔵庫本体２ａの天面部には、上面を覆うように上カバー部材８が装着される。
【００２５】
図２は、図１の冷蔵庫の上面を示す平面図であり、上カバー部材８を除いた状態を示している。図２に示すように、冷蔵庫本体２ａの天面部には、画像表示装置５を制御する表示制御基板５０に電力を供給するための専用電源装置１０が設けられている。専用電源装置１０は、その内部に電源制御基板１１が設けられる。電源制御基板１１は、商業電源用コンセント等に差し込み可能な電源プラグ１２と電源線を介して接続される。
【００２６】
また、冷蔵庫１の上面には、冷蔵庫本体２から上扉体３ａへ複数の電線を束にしたワイヤハーネス２０が架け渡される。ワイヤハーネス２０は、その一端が専用電源装置１０の内部の電源制御基板１１に接続され、その他端が扉体３の内部に設置された画像表示装置５を制御する表示制御基板５０に接続される。これによれば、冷蔵庫本体２の専用電源装置１０等から画像表示装置５にワイヤハーネス２０を介して、電力の供給、制御信号の伝送等を行うことができる。
【００２７】
（扉体のヒンジ部構造）
次に、図３から図５を参照しながら、上ヒンジ部４ａ周辺の構造について詳細に説明する。図３は、図２の扉体閉鎖時のヒンジ部周辺を示す拡大平面図である。図４は、図２の扉体開放時のヒンジ部周辺を示す拡大平面図である。図５は、図３の扉体閉鎖時のヒンジ部周辺を示す拡大縦断面図である。なお、図５は、図３のＡ−Ａ線での縦断面図であり、図３及び図４は、図５のＢ−Ｂ線での横断面図である。
【００２８】
図３に示すように、上ヒンジ部４ａは、ヒンジプレート１３とヒンジ軸１６を有する。ヒンジプレート１３は、前後方向Ｙに延びる平板状部材であり、その前部が冷蔵庫本体２ａの前面から前方Ｙ１に突出した状態で、その後部が冷蔵庫本体２ａの天面の右前角部にボルト等によって締結固定される。ヒンジプレート１３は、前部にヒンジ軸１６が嵌合可能な嵌合穴部１３ａが設けられる。
【００２９】
ヒンジ軸１６は、上扉体３ａの上面の右端部から上方向Ｚ１に垂直に立設される。ヒンジ軸１６がヒンジプレート１３の嵌合穴部１３ａに回動可能に嵌合された状態で、上扉体３ａの上部が冷蔵庫本体２ａに対して回動可能に支持される。なお、本実施形態では、ヒンジ軸１６は軸方向に延びる貫通孔を有しており、この貫通孔には線径が細い又は少ない本数の電線を挿通してもよい。
【００３０】
ヒンジプレート１３は、少なくとも冷蔵庫本体２ａの前面から前方Ｙ１に突出する部分がヒンジケース１７によって上方Ｚ１から覆われている。ヒンジケース１７は、互いに組み付けられた下ケース部材１４と上ケース部材１５によって構成されており、ワイヤハーネス２０を冷蔵庫本体２ａ側から扉体３ａ側へ導出するための開口部１７ａをヒンジ軸１６の近傍に有する。
【００３１】
下ケース部材１４は、平面視で左右方向Ｘに互いに離間して上方Ｚ１に延びる左柱部１４ａと右柱部１４ｂを有している。特に、左柱部１４ａと右柱部１４ｂの互いに対向する側周面は、平面視で滑らかな形状を有する。なお、本実施形態では、各柱部１４ａ，１４ｂは中空に形成されている。
【００３２】
図５に示すように、上ケース部材１５は、下ケース部材１４の左柱部１４ａと右柱部１４ｂの間を架橋するように下ケース部材１４の上面に取り付けられる。これによって、下ケース部材１４と上ケース部材１５との間に、すなわち下ケース部材１４の左柱部１４ａと右柱部１４ｂの互いに対向する側周面と上ケース部材１５の下面によって、開口部１７ａが画成される。
【００３３】
下ケース部材１４の下面１４ｃは、開口部１７ａから前方Ｙ１及び左方Ｘ２に向かって、下方Ｚ２に傾斜するように形成されている。また、上ケース部材１５の上面１５ａは、開口部１７ａから前方Ｙ１及び左方Ｘ２に向かって、上方Ｚ１に傾斜するように形成されている。すなわち、開口部１７ａは、その上下方向Ｚの開口寸法が外方に向かって拡幅されるように構成される。  
【００３４】
上扉体３ａの上部に取り付けられた扉上面カバー９は、右側壁部にワイヤハーネス２０を挿通可能な挿通孔９ａが設けられる。
【００３５】
図３に示すように、上扉体３ａが閉鎖された状態では、専用電源装置１０から前方Ｙ１のヒンジケース１７の開口部１７ａの内部へ延びるワイヤハーネス２０は、ヒンジケース１７において前方Ｙ１から左方Ｘ２に向かって屈曲された状態で、扉上面カバー９の挿通孔９ａを介して上扉体３ａの内部に配線される。
【００３６】
図３に示すように上扉体３ａが閉鎖された状態から図４に示すように開放された状態になると、専用電源装置１０から前方Ｙ１に延びるワイヤハーネス２０は、ヒンジケース１７において反対側に屈曲され、右前方向に向かって屈曲された状態となって、扉上面カバー９の挿通孔９ａを介して上扉体３ａの内部に配線される。
【００３７】
上扉体３ａの開閉の際、ワイヤハーネス２０は、開口部１７ａの内部をある程度に動きながら屈曲されるが、ヒンジ軸１６の近傍を通過する状態が維持されるので、上扉体３ａの回動によってワイヤハーネス２０に過度な引張力又は圧縮力が作用することがない。
【００３８】
（ワイヤハーネスの構造）
次に、図６、図７を参照しながら、ワイヤハーネス２０の構造について詳細に説明する。図６は、図２のワイヤハーネスを概略的に示す平面図である。図６に示すように、ワイヤハーネス２０は、複数本の電線２１を束ねた構造であり、電線２１の両端には、電源制御基板１１と表示制御基板５０にそれぞれ接続可能な複数のコネクタ２２が設けられる。以下では、ワイヤハーネス２０のうち、上扉体３ａの開閉時にヒンジケース１７において屈曲される部分を屈曲部Ｃという。
【００３９】
図７は、図６のワイヤハーネスの一部拡大断面図である。図７に示すように、ワイヤハーネス２０は、複数本の電線２１において屈曲部Ｃの両端が結束部材２３，２３によって結束され、結束部材２３，２３間には、複数本の電線２１が矢印が示すように一方向に捻られて螺旋状に延びる捩り部２１ａを有する。結束部材２３として、例えば、樹脂製の結束バンドを用いることができる。なお、捩り部２１ａの捩り方向は、図７に示す方向と反対方向であってもよい。
【００４０】
ワイヤハーネス２０は、少なくとも捩り部２１ａに柔軟性のあるヒンジカバー２４が外装される。図７のＦ−Ｆ線及びＧ−Ｇ線での断面図に示すように、本実施形態では、ヒンジカバー２４は、断面略Ｃ形状に長手方向に切り込みを入れたゴムチューブによって形成される。ヒンジカバー２４に切り込みを入れることによって、複数本の電線２１の捩り部２１ａが屈曲された際に、ヒンジカバー２４の切り込みが広がり、内部の電線２１の可動範囲が広がることで、一部の電線２１に集中していた曲げ応力や引張応力を他の電線２１にも分散して低減させることができる。
【００４１】
更に、ワイヤハーネス２０は、ヒンジカバー２４にシリコーンワニスが表面に塗布されたガラス編組チューブ２５が外装される。ガラス編組チューブ２５は、ワイヤハーネス２０のヒンジカバー２４のうち、少なくとも上扉体３ａの開閉時にヒンジケース１７と接触する部分に設けられる。また、ガラス編組チューブ２５は、ヒンジカバー２４の外径よりも十分に大きな内径を有するものであり、ヒンジカバー２４内で複数本の電線２１の捩り部２１ａが屈曲される際の抵抗とならない程度の内径を有することが望ましい。
【００４２】
以上により、本実施形態によれば、ワイヤハーネス２０は、複数本の電線２１を束ねた構造であり、上扉体３ａの開閉時に屈曲される部分の両端はそれぞれ結束部材２３，２３によって結束され、結束部材２３，２３のうち、一方の結束部材２３と他方の結束部材２３との間において、捻られた状態の捩り部２１ａを有するので、上扉体３ａを開閉する際、捩り部２１ａでワイヤハーネス２０が屈曲され、捩り部２１ａにおいて螺旋状に延びる全ての電線２１が適度に屈曲される。そのため、複数の電線２１が捻られずに直線状に延びる場合のように一部の電線のみが過度に屈曲されることがなく、屈曲が繰り返されても屈曲疲労によって電線２１が断線するのを防止することができる。
【００４３】
また、本実施形態によれば、ワイヤハーネス２０は、少なくとも捩り部２１ａが柔軟性のあるヒンジカバー２４によって外装されているので、捩り部２１ａにおける複数本の電線２１をねじれた状態で維持することができる。
【００４４】
また、本実施形態によれば、ワイヤハーネス２０は、少なくともハーネスカバー２４が、シリコーンワニスが表面に塗布されたガラス編組チューブ２５によって外装されているので、上扉体３ａの開閉時にワイヤハーネス２０が上ヒンジ部４ａと接触しながら屈曲する際に、この接触部で滑り音が発生するのを防止することができる。
【００４５】
また、本実施形態によれば、上ヒンジ部４ａは、ワイヤハーネス２０を導出するための開口部１７ａを有し、開口部１７ａは、その上下方向Ｚの開口寸法が外方に向かって拡幅されているので、上扉体３ａの開閉の際に、ワイヤハーネス２０が開口部１７ａに引っかかり難く、上扉体３ａのスムーズな開閉を実現することができる。
【００４６】
また、本実施形態によれば、上扉体３ａは、上扉体３ａの前面に画像を表示する画像表示装置５が内部に設けられ、画像表示装置５には、ワイヤハーネス２０が接続されているので、冷蔵庫本体２から画像表示装置５に対して給電又は信号の送受信を行うことができる。
【００４７】
なお、本発明は、例示された本実施形態に限定されるものではなく、本発明の要旨を逸脱しない範囲において、種々の改良及び設計上の変更が可能である。
【００４８】
例えば、本実施形態では、電線２１の両端部にコネクタ２２，２２が接続されたワイヤハーネス２０について説明したが、これに限定されるものではなく、複数本の電線２１を束ねた構造であって、屈曲部Ｃの両端がそれぞれ結束部材２３，２３によって結束され、一方の結束部材２３と他方の結束部材２３との間に捩り部２１ａを有する配線であればよく、例えば、端部にコネクタが接続されていないもの、コネクタを介さずにプリント基板等の電気部品や電気製品に直接接続されたもの等であってもよい。
【００４９】
また、本実施形態では、屈曲部Ｃの両端を結束する結束部材２３，２３として同様の結束バンドを用いたものについて例示したが、これに限定されるものではなく、例えば、ケーブルクリップ、結束テープ、収縮チューブ等の結束バンド以外の結束部材を屈曲部Ｃの一端又は両端に用いてもよい。
【００５０】
また、本実施形態では、上下２枚の扉３ａ、３ｂを備える片開き式の冷蔵庫１について説明したが、これに限定されるものではなく、例えば、１枚の片開き式の扉を有する冷蔵庫、上下方向Ｚに３枚以上の片開き式の扉を有する冷蔵庫等であってもよい。また、本実施形態では、片開き式の冷蔵庫１について説明したが、左右両端に軸支持された２枚の扉が左右方向Ｘに開く観音開き式の冷蔵庫であってもよい。
【００５１】
また、本実施形態におけるワイヤハーネス２０は、電力の供給や制御信号の伝送のための電線に限るものではなく、映像や音声等を伝送する電線やケーブル、電源線と信号線とが一体化されたケーブル等であってもよい。具体的には、ワイヤハーネス２０には、光ファイバーケーブル、ＬＡＮ（ローカルエリアネットワーク）ケーブル、ＵＳＢ（ユニバーサルシリアルバス）ケーブル、ＨＤＭＩ（登録商標）ケーブル、同軸ケーブル等を単体で又は任意に組み合わせて用いることができる。
【産業上の利用可能性】
【００５２】
以上のように、本発明によれば、扉体の開閉による断線等を防止しながら、冷蔵庫本体から扉への配線の本数が制約されない冷蔵庫を提供できるので、この種の冷蔵庫の製造産業分野において、好適に利用される可能性がある。
【符号の説明】
【００５３】
１  冷蔵庫
２  冷蔵庫本体
３  扉体
４ａ  上ヒンジ部
５  画像表示装置
１４ｃ  開口部
１７  ヒンジケース
２０  ワイヤハーネス
２１  電線
２１ａ  捩り部
２３  結束部材
２４  ハーネスカバー
２５  ガラス編組チューブ
【図１】
2017133797.tif 000003
【図２】
2017133797.tif 000004
【図３】
2017133797.tif 000005
【図４】
2017133797.tif 000006
【図５】
2017133797.tif 000007
【図６】
2017133797.tif 000008
【図７】
2017133797.tif 000009